(57)【要約】【課題】サシ餌用の釣用容器の改良。オキアミの尻尾を衛生的に簡単且つ綺麗に除去することができる釣用容器の提供。【解決手段】この釣用容器１０は、容器本体１１と蓋１２とを備える。容器本体１１は、側壁１８及び底板１７を有する。側壁１８の上端部３０にカッター２５が設けられている。カッター２５は、上端部３０が先鋭形状に加工されることにより当該上端部３０と一体的に形成されている。カッター２５の先端に刃３１が形成されている。【選択図】図４
2016171756.tif 000002
【特許請求の範囲】
【請求項１】
上面に開口を有する容器本体を備え、当該開口の縁部の少なくとも一部が先鋭形状に形成されている釣用容器。
【請求項２】
上記先鋭形状に形成された部分が上記開口の隅部に設けられている請求項１に記載の釣用容器。
【請求項３】
上記先鋭形状に形成された部分が上記開口の中央を基準として対称に配置されている請求項１又は２に記載の釣用容器。
【請求項４】
釣餌を収容することができ、収容された釣餌の一部を切断し得るカッターを備えている釣用容器。
【請求項５】
上面に開口を有する容器本体を有し、
上記カッターは、上記容器本体の開口の縁部に一体的に形成されている請求項４に記載の釣用容器。
【請求項６】
上記カッターは、上記縁部が先鋭形状に形成されることにより構成される請求項５に記載の釣用容器。
【発明の詳細な説明】
【技術分野】
【０００１】
この発明は、釣りの際に使用される容器、特に餌を収容する容器の構造に関するものである。
【背景技術】
【０００２】
一般にウキ釣りにおいては、餌は欠かせないものである。実釣において釣人は、釣針に取り付けた餌（この餌は、特に「サシ餌」と称される。）の鮮度を保つために、ターゲットのバイトの有無にかかわらずエサを頻繁に交換する。そのため、釣人は、新鮮なサシ餌を携帯する必要があり、従来から、一定量のサシ餌を収容することができる容器が提供されている（例えば、特許文献１〜特許文献４参照）。
【０００３】
このような容器は、通常、上面に開口を有する容器本体と、容器本体に設けられた蓋とを有する。この蓋は、容器本体の開口を開閉するものであって、閉じられることによって容器本体に収容された餌の乾燥等を防ぐ。実釣において釣人は、蓋を開けて餌を取り出した後、蓋を閉じる。取り出されたエサは、丁寧に釣針に取り付けられて、仕掛けと共に水中に投入される。
【０００４】
サシ餌の種類はさまざまであるが、一般にオキアミが採用される。実釣においてオキアミを釣針に取り付ける作業は、決して容易ではない。すなわち、釣人は、釣糸を捌きつつ釣竿を把持すると同時に釣針をも保持し、この釣針をオキアミに刺す。具体的には、釣人は、釣糸が釣竿に絡まないように配慮しながら右手の手のひら、中指、薬指及び小指にて釣竿を握り、且つ親指及び人差し指にて釣針の軸を摘むと共に、左手でオキアミを持ち、これに釣針を突き刺す。
【先行技術文献】
【特許文献】
【０００５】
【特許文献１】特開２０００−３３３５７８号公報
【特許文献２】特開２００３−９７４１号公報
【特許文献３】特開２００４−２７５００５号公報
【特許文献４】特開２０１０−２９０９５号公報
【発明の概要】
【発明が解決しようとする課題】
【０００６】
ところで、オキアミは小エビに似たプランクトンであり、非常に軟らかく、仕掛けが海中に投入される際に釣針から外れやすいという事情がある。その対策として釣人は、オキアミが釣針に取り付けられる際に予め尻尾を外し、この部分から釣針の形状に沿わせるようにオキアミを針に取り付けることがある。
【０００７】
しかし、前述のように釣竿や釣針を把持しつつオキアミを釣針に装着する作業が容易でないため、その作業と並行してオキアミの尻尾を綺麗に外す作業はより困難である。たとえば、釣針を摘んでいる右手の親指と人差し指とでオキアミの尻尾を引きちぎることも可能ではあるが、その場合に勢い余ってオキアミの背の部分まで引きちぎられてしまうことがあり、オキアミの身が崩れて却って釣針から外れやすくなるという問題が生じる。
【０００８】
釣人によっては、左手で摘んだオキアミの尻尾を口に入れて歯でかみ切ることもあるが、不衛生であることは否めない。また、オキアミの尻尾をハサミ等で切断すればよいが、これでは、餌を付ける作業が繁雑でいわゆる手返しが悪くなる。
【０００９】
本発明はかかる背景のもとになされたものであって、その目的は、オキアミの尻尾を簡単且つ綺麗にしかも素早く除去することができる釣用容器を提供することである。
【課題を解決するための手段】
【００１０】
(1) 本発明に係る釣用容器は、上面に開口を有する容器本体を備え、当該開口の縁部の少なくとも一部が先鋭形状に形成されている。
【００１１】
この発明では、釣餌は容器本体に収容される。実釣において釣人は、釣餌の一部を切断することができる。たとえば、釣餌としてオキアミが採用される場合、釣人は、左手でオキアミを摘み、尻尾を容器本体の開口の縁部に押し付ける。この縁部は先鋭形状に形成されているから、オキアミの尻尾は簡単且つ綺麗に切断される。
【００１２】
(2) 上記先鋭形状に形成された部分が上記開口の隅部に設けられているのが好ましい。
【００１３】
この構成では、釣人がオキアミを摘んだ状態でより一層簡単に尻尾を切断することができる。
【００１４】
(3) 上記先鋭形状に形成された部分が上記開口の中央を基準として対称に配置されているのが好ましい。
【００１５】
この構成では、釣人が左手あるいは右手のいずれの手でオキアミを摘む場合であっても簡単に尻尾を切断することができる。
【００１６】
(4) また、本発明に係る釣用容器は、釣餌を収容することができ、収容された釣餌の一部を切断し得るカッターを備えている。
【００１７】
この発明では、実釣において釣人は、釣餌の一部を切断することができる。たとえば、釣餌としてオキアミが採用される場合、釣人は、左手でオキアミを摘み、尻尾をカッターに押し付ける。これにより、オキアミの尻尾は簡単に切断される。
【００１８】
(5) 上記釣用容器は、上面に開口を有する容器本体を備えていてもよい。上記カッターは、上記容器本体の開口の縁部に一体的に形成されているのが好ましい。
【００１９】
この構成では、釣人は、容器本体からオキアミを取り出し、当該容器本体の開口の縁部に押し付ける。この縁部にカッターが設けられているから、釣人は、オキアミの尻尾をより一層簡単に切断することができる。
【００２０】
(6) 上記カッターは、上記縁部が先鋭形状に形成されることにより構成されているのが好ましい。
【００２１】
この構成では、カッターを別部品とする必要はない。したがって、釣用容器の構造が簡単になり、製造コストの上昇も抑えられる。
【発明の効果】
【００２２】
この発明によれば、餌を使用する釣りにおいて、次のような効果が奏される。実釣において釣人は、右手で釣竿を握りつつ右手の親指及び人差し指にて釣針の軸を摘む一方で、左手でオキアミを持って、これに釣針を挿入する。このとき、左手のみでオキアミの尻尾を簡単且つ綺麗にしかも素早く切断することができる。したがって、釣人にとって釣りを衛生的に効率良く快適に行うことができる。
【図面の簡単な説明】
【００２３】
【図１】図１は、本発明の一実施形態に係る釣用容器の側面図である。
【図２】図２は、図１におけるＩＩ−矢視図である。
【図３】図３は、本発明の一実施形態に係る釣用容器の側面図である。
【図４】図４は、本発明の一実施形態に係る容器本体の要部拡大図である。
【発明を実施するための形態】
【００２４】
以下、本発明の好ましい実施形態が、適宜図面が参照されながら説明される。なお、本実施の形態は、本発明に係る釣用容器の一態様にすぎず、本発明の要旨を変更しない範囲で実施態様が変更されてもよいことは言うまでもない。
【００２５】
図１は、本発明の一実施形態に係る釣用容器１０の側面図である。図２は、図１におけるＩＩ−矢視図、図３は、釣用容器１０の側面図である。
【００２６】
この釣用容器１０は、いわゆるウキ釣りの際に使用され、たとえばサシ餌（本実施形態ではオキアミ）を収容するものである。この釣用容器１０は、容器本体１１と、蓋１２とを備えている。蓋１２は、容器本体１１の正面２１側に設けられている。なお、図２及び図３では、蓋１２が省略されている。
【００２７】
容器本体１１の外形形状は立方体に形成されている。容器本体１１の上面１４に開口１５が設けられている。この開口１５に連続して容器本体１１の内部に収容室１６が形成されている。この収容室１６にオキアミが収容され、必要に応じて釣人がオキアミを収容室１６から取り出す。
【００２８】
容器本体１１は、例えばＥＶＡ（エチレン酢酸ビニル共重合体）その他の樹脂あるいは金属から構成され得る。本実施形態では、容器本体１１は、底版１７と、側壁１８とを有する。側壁１８は、環状に湾曲されて筒状に形成されている。底板１７は、側壁１８の端面の形状に対応されており、両者は滑らかに連続するように一体的に形成されている。本実施形態では、容器本体１１の上端部、すなわち上記開口１５の周縁部にフランジ１３が形成されている。これにより、上記開口１５の周縁部の剛性が高められている。もっとも、フランジ１３は省略されてもよい。
【００２９】
容器本体１１の背面２２にブラケット２３が設けられている。このブラケット２３は、釣用容器１０を他の釣用バッグや釣人が着用するウェアに係止するためのものであって、容器本体１１と一体的に形成されている。もっとも、ブラケット２３が容器本体１１と別の部品として構成され、容器本体１１に取り付けられていてもよい。本実施形態では、ブラケット２３は、平板状に形成されているが、ブラケット２３の外形は特に限定されるものではない。このブラケット２３の上端部にフック２４が設けられ、下端部にアンカー２５が設けられている。これらの形状は特に限定されるものではなく、上記釣用バッグやウェアに係止するために適する形状である。
【００３０】
図４は、容器本体１１の要部拡大図である。
【００３１】
容器本体１１の開口１５の周縁部にカッター２５が設けられている。このカッター２５は、上記開口１５の周縁部と一体的に形成されている。
【００３２】
図３が示すように、上記開口１５は、容器本体１１の上面１４の縁部により区画されている。具体的には、上記開口１５は、容器本体１１の正面２１側に配置された真直辺部２６、背面２２側に配置された真直辺部２７、及びこれらを連続する湾曲辺部２８、２９によって区画されている。つまり、本実施形態では、開口１５は長円形状である。なお、開口１５の形状は、特に限定されないことは勿論である。
【００３３】
図１及び図４が示すように、カッター２５は、上記開口１５の隅部、すなわち、上記湾曲辺部２８、２９と、真直辺部２６とが交わる部位に設けられている。換言すれば、カッター２５は、開口１５の中央を基準として左右対称に配置されている。また、カッター２５は、図４が示すように、側壁１８の上端部３０がフランジ１３と共に切断されることにより側壁１８と一体的に形成されており、先鋭形状を呈している。これにより、側壁１８の上端部３０に刃３１が形成されている。
【００３４】
図３が示すように、本実施形態では、カッター２５は、上記開口１５の隅部に左右対称に設けられている。ただし、カッター２５は、上記隅部のいずれか一方にだけ設けられていてもよい。さらに、カッター２５の位置は特に限定されるものではなく、上記開口１５の縁部のいずれかの位置に設けられていてもよい。
【００３５】
図１が示すように、蓋１２は、トレー状に形成され、ポリプロピレン等の合成樹脂により成形されている。蓋１２は、容器本体１１の上面１４に配置され、容器本体１１の正面２１に突設された支持部３２に回動自在に支持されている。したがって、蓋１２は、同図の矢印３３の方向に沿って回動することができ、上記開口１５を開閉する。なお、蓋１２が省略されてもよい。
【００３６】
本実施形態に係る釣用容器１０は、実釣において次のように使用される。釣人は、右手で釣竿を握りつつ右手の親指及び人差し指にて釣針の軸を摘む一方で、左手でオキアミを持って、これに釣針を挿入する。釣針にオキアミを取り付けるとき、オキアミの尻尾を容器本体１１の開口１５の縁部に押し付ける。すなわち、カッター２５に上方から押し付ける。カッター２５は、先鋭形状に形成されているから、オキアミの尻尾は簡単且つ綺麗に切断される。これにより、釣人は、オキアミを確実に釣針に装着することができるし、従来のように釣人がオキアミの尻尾を歯で噛み切ることもないので、非常に衛生的である。
【００３７】
本実施形態では、上記カッター２５が上記開口１５の隅部に設けられているから、特に釣人が釣用容器１０をウェアの前面部分に取り付けて使用する場合に、オキアミを摘んだ状態でより一層簡単にオキアミの尻尾を切断することができる。
【００３８】
また、カッター２５が上記開口１５の中央を基準として対称に配置されているから、釣人が左手あるいは右手のいずれの手でオキアミを摘む場合であっても簡単に尻尾を切断することができる。
【００３９】
本実施形態では、カッター２５が容器本体１１と一体的に形成されているが、オキアミの尻尾を切断するカッターを別部材として構成され、これが容器本体１１に取り付けられていてもよい。その場合であっても、釣人は、オキアミの尻尾を前述と同様の要領で切断することができる。
【符号の説明】
【００４０】
１０・・・釣用容器
１１・・・容器本体
１３・・・フランジ
１４・・・上面
１５・・・開口
１８・・・側壁
２１・・・正面
２２・・・背面
２５・・・カッター
２６・・・真直辺部
２７・・・真直辺部
２８・・・湾曲辺部
２９・・・湾曲辺部
３０・・・上端部
３１・・・刃
【図１】
2016171756.tif 000003
【図２】
2016171756.tif 000004
【図３】
2016171756.tif 000005
【図４】
2016171756.tif 000006